(57)【要約】【課題】遊技者にはいつでもどこでも撮影条件および編集条件の設定を行うことを許容し、遊技者による撮影条件および編集条件の設定に時間がかかって利用客の回転率、収益が低下することを防止できるようにする。【解決手段】遊技者が自己所有の携帯端末７５に搭載された条件設定機能を利用して、写真シール払出装置１による撮影背景の選択、撮影アングルの選択、撮影時の明るさの選択などの予め準備された撮影条件、および、撮影画像における目の大きさや形、顔の大きさや形等の加工パターンの選択、編集に使用するスタンプの選択、編集用の背景画像の選択などの予め準備された編集条件、および、シールシートとしてのデザインシートの選択、複数の画像を印刷する際の配置パターンの選択などの予め準備された印刷条件の設定操作をいつでもどこでも行えるようにし、携帯端末７５にこれら撮影条件および編集条件の設定結果をＱＲコードに変換して保存しておく。【選択図】図２
2016184287.tif 000002
【特許請求の範囲】
【請求項１】
被写体を撮影手段により撮影して得られた撮影画像に、編集手段により文字、図形等を合成する編集を行って合成画像を形成する画像合成装置を備えた画像提供システムにおいて、
前記画像合成装置による撮影の写りイメージである撮影コースの選択、撮影背景の選択、撮影アングルの選択、撮影時の明るさの選択などの予め準備された撮影条件の設定結果、および、撮影画像における目の大きさや形、顔の大きさや形等の加工パターンの選択、編集に使用するスタンプの選択、編集用の背景画像の選択などの予め準備された編集条件の設定結果のうち、少なくとも一方の前記設定結果を予め定められたコードに変換して保存する条件設定機能を搭載した遊技者所有の携帯端末を備え、
前記画像合成装置は、
当該遊技者の前記携帯端末に保存された前記撮影条件および前記編集条件の設定結果のコードを読み取る読取手段と、
前記読取手段により読み取られたコード内容である前記撮影条件および前記編集条件に従い、前記撮影手段の制御および前記編集手段の制御を行う制御手段と
を備えることを特徴とする画像提供システム。
【請求項２】
前記撮影背景、前記撮影アングル、撮影時の明るさ、および、前記加工パターン等の前記撮影条件、および、前記スタンプ、前記編集用の背景画像などの前記編集条件は、いずれも予め複数種類が準備されていることを特徴とする画像提供システム。
【請求項３】
前記コードは、ＱＲコードまたはバーコードであることを特徴とする請求項１または２に記載の画像提供システム。
【請求項４】
前記携帯端末は、通信網を利用して前記合成画像を送信する際の送信先の識別情報を前記条件設定機能に加えて設定する機能を有し、
前記画像合成装置は、前記携帯端末により設定された前記識別情報に基づく前記送信先への送信要求に応じて送信可能に前記合成画像を保存することを特徴とする請求項１ないし３のいずれに記載の画像提供システム。
【請求項５】
前記画像合成装置は、前記編集手段により編集された前記合成画像を所定の写真シールシートに印刷する印刷手段を備え、
前記携帯端末の前記条件設定機能は、前記シートとしてのデザインシートの選択、前記シートに複数の画像を印刷する際の配置パターンの選択などの予め準備された印刷条件の設定結果をコード変換して保存する機能をさらに有し、
前記読取手段は、前記携帯端末に保存された前記印刷条件の設定結果のコードを読み取り、
前記制御手段は、前記読取手段により読み取られたコード内容である前記印刷条件に従い、前記印刷手段の制御を行うことを特徴とする請求項１ないし４のいずれかに記載の画像提供システム。
【請求項６】
請求項１ないし４のいずれかに記載の前記携帯端末に搭載されたコンピュータに、前記撮影条件、前記編集条件の設定を実行させるための携帯端末用プログラムであって、
撮影の写りイメージである撮影コースの選択、撮影背景の選択、撮影アングルの選択、撮影時の明るさの選択などの予め準備された複数の撮影条件項目の選択操作を遊技者に行わせるための画面、および、撮影画像における目の大きさや形、顔の大きさや形等の加工パターンの選択、編集に使用するスタンプの選択、編集用の背景画像の選択などの予め準備された複数の編集条件項目の選択操作を遊技者に行わせるための画面のうち、少なくとも一方の画面を前記携帯端末に表示させる工程と、
前記携帯端末の画面に表示された前記複数の撮影条件項目および前記複数の編集条件項目のうちの一方の各項目それぞれについて遊技者により選択された結果を予め定められたコードに変換して保存する工程と
を、前記携帯端末に搭載されたコンピュータに実行させることにより前記条件設定機能を発揮させることを特徴とする携帯端末用プログラム。
【請求項７】
少なくともシールシートとしてのデザインシートの選択、前記シートに複数の画像を印刷する際の配置パターンの選択などの予め準備された複数の印刷条件の選択操作を遊技者に行わせるための画面を前記携帯端末に表示させる工程と、
前記携帯端末の画面に表示された前記複数の印刷条件項目それぞれについて遊技者により選択された結果を予め定められたコードに変換して保存する工程と
を、前記携帯端末に搭載されたコンピュータに実行させることにより前記条件設定機能を発揮させることを特徴とする請求項６に記載の携帯端末用プログラム。
【発明の詳細な説明】
【技術分野】
【０００１】
本発明は、被写体を撮影手段により撮影して得られた撮影画像に、編集手段により文字、図形等を合成する編集を行って合成画像を形成する画像合成装置を備えた画像提供システムおよび携帯端末用プログラムに関する。
【背景技術】
【０００２】
従来、例えば特許文献１に記載のように、筐体に設けられた撮影ブースにおいて、カメラにより遊技者を撮影し、筐体に撮影ブースとは別に設けられた編集ブースにおいて、撮影画像に対して遊技者が入力した編集画像を合成し、写真シールシートに合成画像を印刷して遊技者に提供する写真シール払出装置がある。
【先行技術文献】
【特許文献】
【０００３】
【特許文献１】特開２０１３−２５５２１７号公報
【発明の概要】
【発明が解決しようとする課題】
【０００４】
この種の写真シール払出装置では、撮影ブース、編集ブースとは別に筐体に設けられた受付ブースにおいて、撮影背景の選択、撮影アングルの選択、撮影画像の加工パターンの選択などの遊技者の操作に基づく撮影条件の設定や、編集に使用するスタンプの選択、編集用の背景画像の選択などの遊技者の操作に基づく編集条件の設定を、受付手段により撮影に先立って受け付けておき、その後遊技者が撮影ブースに移って実際の撮影を行う際に、受付手段により事前に受け付けた撮影条件に従って撮影を行い、続いて遊技者が編集ブースに移動すると、受付手段により事前に受け付けた編集条件に従って編集を行うようにすることが考えられている。こうすることによって、遊技者は、撮影や編集に十分な時間をかけて楽しむことが可能になる。
【０００５】
しかし、上記した写真シール払出装置では、撮影や編集に先立って撮影条件、編集条件を事前に受け付けることはできるものの、受付ブースで所定の操作しなければならないため、遊技者にとっては受付ブースに出向かなければならないという煩わしさがある一方、装置を管理する店舗側にとっては、受付ブースが先の遊技者により塞がっていて次の遊技者に待ち時間が生じると、利用客の回転率の悪化に繋がって収益の低下を招くという問題がある。
【０００６】
本発明は、遊技者にはいつでもどこでも撮影条件および編集条件の設定を行うことを許容し、遊技者による撮影条件および編集条件の設定に時間がかかって利用客の回転率、収益が低下することを防止できるようにすることを目的とする。
【課題を解決するための手段】
【０００７】
上記した目的を達成するために、本発明の画像提供システムは、被写体を撮影手段により撮影して得られた撮影画像に、編集手段により文字、図形等を合成する編集を行って合成画像を形成する画像合成装置を備えた画像提供システムにおいて、前記画像合成装置による撮影の写りイメージである撮影コースの選択、撮影背景の選択、撮影アングルの選択、撮影時の明るさの選択などの予め準備された撮影条件の設定結果、および、撮影画像における目の大きさや形、顔の大きさや形等の加工パターンの選択、編集に使用するスタンプの選択、編集用の背景画像の選択などの予め準備された編集条件の設定結果のうち、少なくとも一方の前記設定結果を予め定められたコードに変換して保存する条件設定機能を搭載した遊技者所有の携帯端末を備え、前記画像合成装置は、当該遊技者の前記携帯端末に保存された前記撮影条件および前記編集条件の設定結果のコードを読み取る読取手段と、前記読取手段により読み取られたコード内容である前記撮影条件および前記編集条件に従い、前記撮影手段の制御および前記編集手段の制御を行う制御手段とを備えることを特徴としている（請求項１）。
【０００８】
また、前記撮影背景、前記撮影アングル、撮影時の明るさ、および、前記加工パターン等の前記撮影条件、および、前記スタンプ、前記編集用の背景画像などの前記編集条件は、いずれも予め複数種類が準備されているとよい（請求項２）。
【０００９】
また、前記コードは、ＱＲコード（登録商標）またはバーコードであるのが望ましい（請求項３）。
【００１０】
また、前記携帯端末は、通信網を利用して前記合成画像を送信する際の送信先の識別情報を前記条件設定機能に加えて設定する機能を有し、前記画像合成装置は、前記携帯端末により設定された前記識別情報に基づく前記送信先への送信要求に応じて送信可能に前記合成画像を保存するようにしてもとよい（請求項４）。
【００１１】
また、前記画像合成装置は、前記編集手段により編集された前記合成画像を所定の写真シールシートに印刷する印刷手段を備え、前記携帯端末の前記条件設定機能は、前記シートとしてのデザインシートの選択、前記シートに複数の画像を印刷する際の配置パターンの選択などの予め準備された印刷条件の設定結果をコード変換して保存する機能をさらに有し、前記読取手段は、前記携帯端末に保存された前記印刷条件の設定結果のコードを読み取り、前記制御手段は、前記読取手段により読み取られたコード内容である前記印刷条件に従い、前記印刷手段の制御を行うようにするとよい（請求項５）。
【００１２】
また、前記携帯端末に搭載されたコンピュータに、前記撮影条件、前記編集条件の設定を実行させるための携帯端末用プログラムであって、撮影の写りイメージである撮影コースの選択、撮影背景の選択、撮影アングルの選択、撮影時の明るさの選択などの予め準備された複数の撮影条件項目の選択操作を遊技者に行わせるための画面、および、撮影画像における目の大きさや形、顔の大きさや形等の加工パターンの選択、編集に使用するスタンプの選択、編集用の背景画像の選択などの予め準備された複数の編集条件項目の選択操作を遊技者に行わせるための画面のうち、少なくとも一方の画面を前記携帯端末に表示させる工程と、前記携帯端末の画面に表示された前記複数の撮影条件項目および前記複数の編集条件項目のうちの一方の各項目それぞれについて遊技者により選択された結果を予め定められたコードに変換して保存する工程とを、前記携帯端末に搭載されたコンピュータに実行させることにより前記条件設定機能を発揮させるようにするとよい（請求項６）。
【００１３】
また、前記携帯端末に搭載されたコンピュータに印刷条件の設定を実行させるための携帯端末用プログラムとして、少なくともシールシートとしてのデザインシートの選択、前記シートに複数の画像を印刷する際の配置パターンの選択などの予め準備された複数の印刷条件の選択操作を遊技者に行わせるための画面を前記携帯端末に表示させる工程と、前記携帯端末の画面に表示された前記複数の印刷条件項目それぞれについて遊技者により選択された結果を予め定められたコードに変換して保存する工程とを、前記携帯端末に搭載されたコンピュータに実行させることにより前記条件設定機能を発揮させるようにしてもよい（請求項７）。
【発明の効果】
【００１４】
請求項１に係る発明によれば、遊技者が自己所有の携帯端末に搭載された条件設定機能を利用して、画像合成装置による撮影背景の選択、撮影アングルの選択、撮影時の明るさの選択などの予め準備された撮影条件、および、撮影画像における目の大きさや形、顔の大きさや形等の加工パターンの選択、編集に使用するスタンプの選択、編集用の背景画像の選択などの予め準備された編集条件のうち、いずれか一方の条件の設定操作を行うと、携帯端末にこれら撮影条件および／または編集条件の設定結果がコードに変換されて保存される。
【００１５】
そして、画像合成装置の読取手段により、遊技者の携帯端末に保存された撮影条件および／または編集条件の設定結果のコードを読み取らせると、読取手段により読み取られたコード内容である撮影条件および／または編集条件に従って、画像合成装置の制御手段により撮影手段の制御および編集手段の制御が行われ、遊技者が設定した通りの撮影、編集が実行される。
【００１６】
したがって、遊技者は、いつでもどこでも好みに合った撮影条件および／または編集条件を設定することができ、画像合成装置が設置された場所に出向くという煩わしさから解放され、好み通りの合成画像を得ることができる一方、撮影条件や編集条件の設定のために遊技者の待ち時間が生じるおそれもなく、遊技者による撮影条件および／または編集条件の設定に時間がかかって利用客の回転率、収益が低下するのを未然に防止することができる。
【００１７】
請求項２に係る発明によれば、撮影条件である撮影背景、撮影アングル、撮影時の明るさ、および、編集条件である加工パターン、スタンプ、編集用の背景画像などの項目が、いずれも予め複数種類準備されているため、遊技者は準備された条件候補のなかから好みに合致したものを選択するだけで撮影条件、編集条件を設定することができ、画像合成装置から離れた場所において、遊技者は十分な時間をかけながら所望の条件設定を簡単な操作により行うことができ、実際の撮影・編集遊技を実行する前に、遊技者は友人と一緒に撮影条件、編集条件の設定のための作業自体を楽しむことが可能になる。
【００１８】
請求項３に係る発明によれば、携帯端末に保存するコードがＱＲコードまたはバーコードであるため、画像合成装置の読取手段として、携帯端末に保存されたコードを通信により送受信するようにすると、携帯端末から簡単にコードを取得することができ、さらに画像合成装置の読取手段に汎用のＱＲコードリーダやバーコードリーダを使用して直接読み取ることもでき、読取手段を簡単かつ安価に構成することができる。
【００１９】
請求項４に係る発明によれば、携帯端末が、条件設定機能に加え、通信網を利用して合成画像を送信する際の送信先の識別情報を設定する機能を有し、画像合成装置が、携帯端末により設定された識別情報に基づく送信先への送信要求に応じて送信可能に合成画像を保存するため、遊技者は、作成された合成画像を自己所有の携帯端末やパソコン、友人の携帯端末やパソコンなどに送信したい場合に、事前に送信先の電子メールアドレスなどの識別情報を設定しておけばよく、合成画像を作成した後で送信先を設定する手間を省くことができる。
【００２０】
請求項５に係る発明によれば、携帯端末の条件設定機能を利用して、写真シールシートとしてのデザインシートの選択、複数の画像を印刷する際の配置パターンの選択などの予め準備された印刷条件の設定操作を行うと、携帯端末に印刷条件の設定結果もコードに変換されて保存され、画像合成装置の読取手段により、遊技者の携帯端末に保存された印刷条件の設定結果のコードを読み取らせると、読取手段により読み取られたコード内容である印刷条件に従って、画像合成装置の制御手段により印刷手段の制御が行われ、遊技者が設定した通りの印刷が実行されるため、遊技者は、いつでもどこでも好みに合った撮影条件、編集条件に加えて印刷条件をも設定することができる。
【００２１】
請求項６に係る発明によれば、携帯端末の条件設定機能を利用して、撮影条件および編集条件のうち少なくとも一方を事前に設定することができ、遊技者は、いつでもどこでも好みに合った撮影条件、編集条件を簡単な操作で設定することが可能になる。
【００２２】
請求項７に係る発明によれば、携帯端末により、印刷条件を事前に設定することができ、遊技者は、いつでもどこでも好みに合った印刷条件を簡単な操作で設定することが可能になる。
【図面の簡単な説明】
【００２３】
【図１】本発明に係る画像提供システムの第１実施形態における画像合成装置としての写真シール払出装置の外観斜視図である。
【図２】図１の写真シール払出装置が具備する電気的構成を模式的に示すブロック図である。
【図３】第１実施形態の携帯端末による撮影条件等の設定動作の説明図である。
【図４】第１実施形態の動作説明用フローチャートである。
【図５】本発明に係る画像提供システムの第２実施形態の動作説明用フローチャートである。
【発明を実施するための形態】
【００２４】
（第１実施形態）
本発明に係る画像提供システムの第１実施形態について図１ないし図４を参照して説明する。
【００２５】
図１は、本発明を構成する画像提供システムの画像合成装置に相当する写真シール払出装置の外観構成を示し、図２はその電気的構成のブロック図である。
【００２６】
この写真シール払出装置１は、図１、図２に示すように、装置本体２に、撮影プレイを行う撮影ブース３ａと、編集プレイを行う２つの対面配置された編集ブース３ｂと、受付ブース３ｃと、印刷ブース３ｄとを備えている。
【００２７】
撮影ブース３ａは、図１に示すように、例えばカーテン等の仕切り部材によって装置本体２に形成されている。そして、この撮影ブース３ａには、撮影ブース３ａ内に入ったユーザ（遊技者）の前方位置の適当な高さの位置にカラーＣＣＤビデオカメラ等の本発明における撮影手段３１（図２参照）が設けられ、さらに撮影手段３１の下方には、液晶ディスプレイ（ＬＣＤ：Liquid Crystal Display）等の撮影部モニタ３２（図２参照）が設けられ、撮影手段３１によるモニタ画像や、撮影のための各種操作ボタンが画面表示され、クロマキーカーテン１０をバックに撮影が行われる。
【００２８】
このとき、撮影可能な静止画の規定枚数は６枚に設定され、後述するように、遊技者により携帯端末７５（図２参照）が操作されて「特別撮影コース」が選択されると、特別撮影として「コラージュ撮影」か「ムービー撮影」のいずれかの撮影が行われ、さらに実際の撮影に要した経過時間が予め定められた設定時間よりも短ければ、撮影が早く終わったとして「おまけ撮影」として上半身のアップ撮影が行われる。
【００２９】
また、撮影ブース３ａ内には、蛍光灯３３（図２参照）、ストロボ発光部３４ａ（図２参照）およびストロボ制御部３４ｂ（図２参照）などの照明系が設けられている。蛍光灯３３は、撮影ブース３ａ内の遊技者を前方および上方から照らして、撮影手段３１による撮影に必要な露光量を確保し、ストロボ発光部３４ａは、撮影手段３１が撮影を行う瞬間に遊技者を照らして、撮影時における影の発生を抑える。その際、ストロボ発光部３４ａの発光タイミングや発光量は、ストロボ制御部３４ｂによって制御される。
【００３０】
さらに、撮影ブース３ａでは撮影手段３１によって静止画の他に動画（ムービー）も撮影することができる。そこで、撮影ブース３ａは、動画撮影時に遊技者を照らすムービー用照明部３５（図２参照）や、動画撮影時に撮影ブース３ａ内の音声を録音するムービー用音声録音部３６（図２参照）が設けられるとともに、静止画および動画の撮影手順の音声案内や、動画撮影時のＢＧＭ(Background Music)等を出力する撮影部スピーカ３７（図２参照）が設けられている。
【００３１】
このとき、後に詳述するように、遊技者が、自己所有の携帯端末である携帯電話を操作して事前に撮影条件を設定している場合には、事前設定された撮影条件に従い撮影手段３１による遊技者を被写体とする撮影が行われ、事前設定が行われていない場合には、受付ブース３ｃで設定操作された撮影条件に従い撮影手段３１による撮影が行われる。なお、事前設定した撮影条件にさらに条件を加えて新たに撮影条件を設定し直したり、事前に設定した撮影条件に代えて新たな編集条件を設定し直したりできるようにしてもよい。
【００３２】
ここでいう撮影条件は、例えば「ふんわり」、「くっきり」などの異なる写りイメージである撮影コースの選択や、撮影背景の選択、撮影アングルの選択、撮影画像の加工パターンである目の大きさや色、顔の輪郭を加工・変更する選択などの予め準備された複数の撮影条件項目について、携帯端末７５（図２参照）を選択操作することにより設定されるものをいう。
【００３３】
２つの編集ブース３ｂは、図１に示すように、コ字状に張り出して設けられたレール部材４に取り付けられたカーテン（図示省略）により、装置本体２の一側壁に外方にＴ字状に突出した突出部２ａを覆うように突出部２ａの両側に形成され、２組のユーザ（遊技者）が並行して編集プレイを行えるようになっている。
【００３４】
そして、図１に示すように、編集ブース３ｂには、例えば適当な高さの卓上に編集対象の撮影画像等を表示するタッチパネルから成る編集部モニタ１２が設けられ、編集部モニタ１２の左横に編集手段に相当する入力ペン１３が配置され、遊技者は、入力ペン１３により編集部モニタ１２を操作することで所定の編集を静止画に施すことができる。また、編集モニタ１２の左右には、編集手順のガイダンスやＢＧＭ出力等を行う一対の編集部スピーカ１４が配設されており、編集手順の音声案内や編集時のＢＧＭ等が出力される。
【００３５】
ここで、編集部モニタ１２には、撮影部モニタ３２と同様に、ＬＣＤのほか陰極線管式、リアプロジェクション式の画面表示パネルが採用され、デジタイザにより入力ペン１３の操作位置が検出されるようになっており、デジタイザとしては、赤外線方式、容量結合方式など、種々の方式が考えられるが、本実施形態においては、可視光に対する透過性があり、入力ペン１３との組合せにより使用できるものであって、複数の入力を識別することができるものであればどのような方式のものであってもよい。
【００３６】
ところで、後に詳述するように、遊技者が携帯端末７５（図２参照）を操作して事前に編集条件を設定している場合には、事前設定された編集条件に従い編集画像が作成されて撮影画像に合成され、合成画像が形成され、事前設定が行われていない場合には、受付ブース３ｃで設定操作された編集条件に従い編集画像が作成される。ここで、編集条件は、例えば撮影画像における目の大きさや形、顔の大きさや形等の加工パターンの選択、編集に使用するスタンプの選択、編集用の背景画像の選択の予め準備された複数の編集条件項目について、携帯端末７５（図２参照）を選択操作することにより設定されるものをいう。なお、事前設定した編集条件にさらに条件を加えて新たに編集条件を設定し直したり、事前に設定した編集条件に代えて新たな編集条件を設定し直したりできるようにしてもよい。
【００３７】
受付ブース３ｃは、図１に示すように、装置本体２の編集ブース３ｂの形成壁とは異なる側壁であって撮影ブース３ａの入口付近に形成されている。そして、図１に示すように、受付ブース３ｃには、所定のデモムービー（デモンストレーションムービー）や広告宣伝のほか、撮影ブース３ａの占有状況を表示する受付部モニタ１７のほか、全体の遊技方法などの案内を音声出力する受付部スピーカ１８が設けられ、受付部モニタ１７の近傍には、所定の遊技料金（例えば、４００円）のコインを投入するためのコイン投入口１９が配設され、コイン投入口１９に投入されたコインを検知するコイン受付部４１（図２参照）が設けられている。
【００３８】
印刷ブース３ｄは、図１に示すように、両編集ブース３ｂが形成された突出部２ａの外側面に形成されている。さらに、図１に示すように、印刷ブース３ｄには、上記した撮影部モニタ３２や編集部モニタ１２と同様に構成され印刷する画像や遊技者へのメッセージなどを表示する印刷部モニタ２１が設けられるとともに、印刷手順のガイダンスやＢＧＭ出力等を行う印刷部スピーカ２２が配設され、写真シールシートに写真を印刷するフルカラー式のプリンタ４２（図２参照）が設けられ、プリンタ４２により印刷された写真シールシートが排出口２３から排出されるようになっている。なお、遊技者が携帯端末７５（図２参照）を操作して事前に印刷条件を設定している場合には、事前設定された印刷条件に従い合成画像が印刷され、事前設定が行われていない場合には、印刷ブース３ｄで設定操作された印刷条件に従い合成画像が印刷される。
【００３９】
そして、各ブース３ａ〜３ｄの各部は、本発明における制御手段に相当するマイクロコンピュータ構成の主制御装置６０により制御される。主制御装置６０は、図２に示すように、ＣＰＵ(Central Processing Unit)６１、メモリ６２およびＨＤＤ(Hard disk drive) ６３で構成され、ＣＰＵ６１は、主制御装置６０における基本プログラムの他、撮影プログラム、編集プログラムおよび印刷プログラム等の各種プログラムを実行する。メモリ６２は、フラッシュメモリー等の不揮発性メモリおよびＲＡＭ(Random Access Memory)で構成されており、ＣＰＵ６１で実行される各種プログラムや画像データ等を書換可能に一時記憶する。ＨＤＤ６３は、ＣＰＵ６１で実行される各種プログラムや撮影条件、編集条件の設定のための各種データを保存する。
【００４０】
さらに、主制御装置６０は、各スピーカ１４，１８，３７による音声案内を制御する音声制御装置６４を備えるとともに、後述する携帯端末７５から送信される設定済みの撮影条件、編集条件を表わすＱＲコードを受信することによって読み取るＱＲコード読取手段６５を備えている。なお、ＱＲコード読取手段６５は、携帯端末７５の画面に表示されるＱＲコードを所定の読取部にかざすことによってＱＲコードを直接読み取る機能を備えていてもよい。
【００４１】
この主制御装置６０は、ＣＰＵ６１により撮影プログラムを実行することで、撮影ブース２での遊技者を被写体とする撮影を実行して撮影画像を取得し、得られた撮影画像をＨＤＤ６３に保存する。また、主制御装置６０は、ＣＰＵ６１により編集プログラムを実行することで、編集ブース３ａにおいて遊技者の入力ペン１２の操作等による編集画像を撮影画像に合成して合成画像を形成し、その合成画像をプリンタ４２により写真シールシートに印刷して排出する。
【００４２】
また、写真シール払出装置１は、主制御装置６０と撮影ブース３ａとの信号の入出力を制御する入出力制御装置７１と、主制御装置６０から外部装置へデータを送信出力する通信装置７３とを備え、この通信装置７３により主制御装置６０がインターネット等の通信網に接続されてインターネットを介して外部のサーバー装置（図示せず）に、遊技者所有の携帯電話やスマートフォン、タブレット型のコンピュータ、ノート型のコンピュータ等の携帯端末７５にダウンロード可能にアップロードする。このとき、携帯端末７５は、後述する条件設定機能に加え、通信網を利用して合成画像を送信する際の送信先である当該遊技者の電子メールアドレス等の識別情報を設定する機能を有しているとよい。こうすることで、写真シール払出装置１により作成された成画像像を、当該携帯端末７５の所有者である当該遊技者に送信することができる。なお、通信装置７３は、ＷｉＦｉ通信や赤外線通信のほかＲＦＩＤによる近距離無線通信により、携帯端末７５との間で通信する機能を備えていてもよい。
【００４３】
さらに、携帯端末７５には、所定の撮影条件項目、編集条件項目および印刷条件項目の表示機能や、これら各種条件項目の選択結果をＱＲコード化して保存する保存機能、ＱＲコードを送信する送信機能を果たすための条件設定用プログラムを予め格納したメモリを備えており、携帯端末７５に内蔵のＣＰＵ等により構成されるコンピュータによって、メモリの条件設定用プログラムが立ち上げられて実行される。
【００４４】
そして、この条件設定用プログラムは、例えば「ふんわり」、「くっきり」、「つや肌」等の写りイメージである撮影コースの選択、ハートマークその他の柄が入った撮影背景の選択、アップ撮影の際の顔アップまたは上半身アップや、全身撮影の際の正面または斜め上から等の撮影アングルの選択、撮影時の１〜５段階の明るさの選択などの予め準備された複数の撮影条件項目の選択操作を遊技者に行わせるための画面を携帯端末７５に表示させるほか、例えば撮影画像における１〜５段階の目の大きさや１０パターンの形、数パターンの顔の大きさや形等の加工パターンの選択、編集に使用するスタンプの選択、編集用の背景画像の選択などの予め準備された複数の編集条件項目の選択操作を遊技者に行わせるための画面を携帯端末７５に表示させ、例えば複数種類準備された写真シールシートのデザインとして所望のデザインシートの選択、シールシートに複数の画像を印刷する際の配置パターンの選択などの予め準備された複数の印刷条件の選択操作を遊技者に行わせるための画面を携帯端末７５に表示させる。
【００４５】
具体的には、条件設定用プログラムが立ち上がると、図３（ａ）に示すように、撮影コースとして「ふんわり」、「くっきり」、「つや肌」のいずれかにチェックマークを入れる選択操作画面が表示され、チェックマークが入れば「戻る」、「決定」の操作ボタンのうち「決定」ボタンが操作されることにより、撮影コースの選択操作が完了する。同様に、図３（ｂ）に示すように、撮影アングルとして「顔アップ」、「バスト（上半身）アップ」、「全身正面」、「全身上から」それぞれの撮影枚数をプルダウンにより入力する選択操作画面が表示される。そして、アップ撮影は計４枚、全身撮影は計２枚（規定枚数は合計６枚）になるように枚数が入力されれば、画面上の「戻る」、「決定」の操作ボタンのうち「決定」ボタンが操作されることにより、撮影アングルの選択操作が完了する。
【００４６】
また、上記した６枚の規定枚数の撮影のほか、「特別撮影コース」の選択も可能であり、携帯端末７５の操作により「特別撮影コース」が選択されると、さらに「コラージュ撮影」または「ムービー撮影」のいずれかが遊技者によりの選択操作されるようになっている。
【００４７】
その他の撮影条件や編集条件、印刷条件についても、図３（ａ），（ｂ）に示す携帯端末７５の表示と同様の画面表示に基づく選択操作により設定される。なお、撮影条件や編集条件は、上記したものに限定されないのは勿論である。
【００４８】
さらに、上記した条件設定用プログラムは、画面表示された複数の撮影条件項目それぞれについて遊技者により選択された結果、画面表示された複数の編集条件項目それぞれについて遊技者により選択された結果および画面表示された複数の印刷条件項目それぞれについて遊技者により選択された結果を、例えば、図３（ｃ）に示すような予め定められたＱＲコードにそれぞれ変換してメモリに保存させるとともに、通信装置７３を介して主制御装置６０に送信する機能を有する。なお、このＱＲコードは、上記したようにＱＲコード読取手段６５により直接読み取るようにＱＲコード読取手段６５を構成してもよい。
【００４９】
次に、主制御装置６０ＣＰＵ６１による撮影ブース３ａの各部の制御処理手順について、図４のフローチャートを参照して説明する。
【００５０】
図４に示すように、遊技者が受付ブース３ｃに来ると、コイン検知部４１により、遊技者によるコイン投入口１９への所定の遊技料金（例えば４００円）の投入があったか否かの判定がなされ（ステップＳ１）、この判定結果がＮＯであれば判定結果がＹＥＳになるまでステップＳ１が繰り返され、コイン投入がなされてステップＳ１をＹＥＳで通過すると、遊技者が携帯端末７５により事前に設定した撮影条件、編集条件、印刷条件のＱＲコードを、通信装置７３を介してあるいは直接ＱＲコード読取手段６５により取得した後、撮影ブース３ａに遊技者を案内する。そして、撮影ブース３ａに案内された遊技者に対してＣＰＵ６１により撮影部モニタ３２が制御されて所定の撮影案内の表示やメッセージ音声の出力がなされ（ステップＳ２）、遊技者所有の携帯端末７５に保存されたＱＲコードを使用し、通信装置７３等を介してＱＲコード読取手段６５によりＱＲコードが取得されたか否かの判定がなされる（ステップＳ３）。
【００５１】
このステップＳ３の判定結果がＮＯであれば、撮影部モニタ３２に表示される撮影コースの選択、撮影背景の選択、撮影アングルの選択、撮影時の明るさの選択などの複数の撮影条件項目の選択が行われるのを待ち（ステップＳ４）、ステップＳ３の判定結果がＹＥＳであれば、ステップＳ４で撮影条件の選択がなされた後と同様に次のステップＳ５に移行し、撮影条件として設定された顔または上半身のアップ撮影が４回行われた後（ステップＳ５）、撮影条件として設定された全身撮影が２回行われる（ステップＳ６）。
【００５２】
続いて、携帯端末７５による事前設定により特別撮影コースの設定を表わすＱＲコードが読み取られているか否かの判定がなされ（ステップＳ７）、この判定結果がＮＯであれば、携帯端末７５の操作により事前に「特別撮影コース」が選択されていないとして、撮影部モニタ３２表示される「特別撮影コース」の選択が行われるのを待ち（ステップＳ８）、ステップＳ８の判定結果がＹＥＳであれば、ステップＳ７で特別撮影コースがＱＲコードを使用して設定された後と同様に次のステップに移行し、特別撮影として「コラージュ撮影」が選択されていればステップＳ９に、「ムービー撮影」が選択されていればステップＳ１０にそれぞれ移行する。
【００５３】
そして、ステップＳ９，Ｓ１０の特別撮影が終了すると、ステップＳ８の判定結果がＮＯで「特別撮影コース」が選択されないと判定された場合と同様、ステップＳ１１に移行し、撮影を開始してからの経過時間Ｔ１が、予め撮影のために割り当てられて設定されて設定時間Ｔｅを超えたか否かの判定がなされ（ステップＳ１１）、この判定結果がＹＥＳであれば、経過時間Ｔ１が設定時間Ｔｅを超えておらず（Ｔ１＜Ｔｅ）撮影に割り当てられた時間が残っていることから、「おまけ撮影」としてアップ撮影が行われ（ステップＳ１２）、その後ステップＳ１１の判定結果がＮＯの場合と同様にステップＳ１３に移行し撮影の終了案内がなされ（ステップＳ１３）、具体的には撮影部モニタ３２に撮影終了の案内メッセージが表示されるとともに、撮影部スピーカ３７から撮影終了の案内メッセージの音声が出力され、撮影ブース３ａの各部の動作は終了する。
【００５４】
その後、撮影を終了した遊技者は、空いている編集ブース３ｂに案内され、編集ブース３ｂにおいて、携帯端末７５によって事前設定されＱＲコード読取手段６５により読み取られたＱＲコードに基づく編集条件、または、携帯端末７５による事前設定ではなく編集ブース３ｂの編集部モニタ１２の選択画面の操作により設定された編集条件に従い編集画像が作成され、撮影ブース３ａで撮影された全撮影画像のうち編集対象として選択された複数枚の撮影画像に編集画像が合成されて合成画像が形成される。ここで、得られた合成画像は、遊技者の携帯端末７５にいつでもダウンロードできるように、通信装置７３を介してサーバー装置にアップロードすることができ、その際、携帯端末７５により電子メールアドレスを識別情報として事前に設定しておけば、当該遊技者は自己所有の携帯端末７５に合成画像を簡単にダウンロードすることができる。
【００５５】
そして、編集が終了すると遊技者は印刷ブース３ｄへの移動が案内され、印刷ブース３ｄにおいて、携帯端末７５によって事前設定されＱＲコード読取手段６５により読み取られたＱＲコードに基づく印刷条件、または、携帯端末７５による事前設定ではなく印刷ブース３ｄの印刷部モニタ２１の選択画面の操作により設定された印刷条件である印刷パターンに従い、プリンタ４２により合成画像が写真シールシートに印刷されて排出口２３から排出される。
【００５６】
したがって、上記した第１実施形態によれば、遊技者は、いつでもどこでも好みに合った撮影条件、編集条件および印刷条件を設定することができ、画像合成装置である写真シール払出装置１が設置された場所に出向くという煩わしさから解放され、好み通りの合成画像を印刷したシールを得ることができる一方、撮影条件や編集条件の設定のために遊技者の待ち時間が生じるおそれもなく、遊技者による撮影条件および編集条件の設定に時間がかかって利用客の回転率、収益が低下するのを未然に防止することができる。
【００５７】
また、遊技者は準備された撮影、編集、印刷の各条件候補のなかから好みに合致したものを選択するだけで撮影条件、編集条件、印刷条件を設定することができ、写真シール払出装置１から離れた場所において、遊技者は十分な時間をかけながら所望の条件設定を簡単な操作により行うことができ、実際の撮影・編集遊技を実行する前に、遊技者は友人と一緒に撮影条件、編集条件および印刷条件の設定のための作業自体をも十分に楽しむことができる。
【００５８】
（第２実施形態）
本発明に係る画像提供システムの第２実施形態について図５を参照して説明する。第２実施形態における写真シール払出装置１の基本的な構成は上記した第１実施形態と同じであるが、受付ブース３ｃがない点において第１実施形態と大きく相違しており、以下では図１ないし図３も参照しつつ係る相違について主として説明する。
【００５９】
すなわち、本実施形態では、図１に示す受付部モニタ１７がなくコイン投入口１９のみが筐体２の側壁に設けられ、しかも図２におけるコイン受付部４１は撮影ブース３ａに配設されており、撮影ブース３ａにおいて、遊技者が携帯端末７５により事前に設定した撮影条件、編集条件、印刷条件のＱＲコードを、通信装置７３を介してあるいは直接ＱＲコード読取手段６５により取得されるようになっている。
【００６０】
図５に示すように、遊技者が撮影ブース３ａに入ると、撮影部モニタ３２により所定のデモムービーが表示開始され（ステップＳ２１）、コイン検知部４１により、遊技者によるコイン投入口１９への所定の遊技料金（例えば４００円）の投入があったか否かの判定がなされ（ステップＳ２２）、この判定結果がＮＯであれば判定結果がＹＥＳになるまでステップＳ２１，Ｓ２２が繰り返され、コイン投入がなされてステップＳ２２をＹＥＳで通過すると、所定の撮影案内の表示やメッセージ音声の出力がなされる（ステップＳ２３）。
【００６１】
そして、遊技者所有の携帯端末７５に保存されたＱＲコードを使用するか否かの問い合わせが遊技者に対してなされ（ステップＳ２４）、この判定結果がＹＥＳであれば、携帯端末７５により事前に設定された撮影条件の設定結果を表わすＱＲコードが通信装置７３等を介してＱＲコード読取手段６５によりＱＲコードが取得されたか否かの判定がなされ（ステップＳ２５）、この判定結果がＮＯであればステップＳ２４が繰り返される。
【００６２】
また、上記したステップＳ２４の判定結果がＮＯすなわちＱＲコードを使用しないとの決定であれば、ステップＳ２６において、撮影部モニタ３２に表示される撮影コースの選択、撮影背景の選択、撮影アングルの選択、撮影時の明るさの選択などの複数の撮影条件項目の選択が行われるのを待ち（ステップＳ２６）、その後ステップＳ２５の判定結果がＹＥＳの場合と同様にステップＳ２７に移行し、撮影条件として設定された顔または上半身のアップ撮影が４回行われた後（ステップＳ２７）、撮影条件として設定された全身撮影が２回行われる（ステップＳ２８）。
【００６３】
続いて、携帯端末７５による事前設定により特別撮影コースの設定を表わすＱＲコードが読み取られているか否かの判定がなされ（ステップＳ２９）、この判定結果がＮＯであれば、携帯端末７５の操作により事前に「特別撮影コース」が選択されていないとして、撮影部モニタ３２表示される「特別撮影コース」の選択が行われるのを待ち（ステップＳ３０）、ステップＳ３０の判定結果がＹＥＳであれば、ステップＳ２９で特別撮影コースがＱＲコードを使用して設定された後と同様に次のステップに移行し、特別撮影として「コラージュ撮影」が選択されていればステップＳ３１１に、「ムービー撮影」が選択されていればステップＳ３２にそれぞれ移行する。
【００６４】
そして、ステップＳ３１，Ｓ３２の特別撮影が終了すると、ステップＳ３０の判定結果がＮＯで「特別撮影コース」が選択されないと判定された場合と同様、ステップＳ３３に移行し、撮影を開始してからの経過時間Ｔ１が、予め撮影のために割り当てられて設定されて設定時間Ｔｅを超えたか否かの判定がなされ（ステップＳ３３）、この判定結果がＹＥＳであれば、経過時間Ｔ１が設定時間Ｔｅを超えておらず（Ｔ１＜Ｔｅ）撮影に割り当てられた時間が残っていることから、「おまけ撮影」としてアップ撮影が行われ（ステップＳ３４）、その後ステップＳ３３の判定結果がＮＯの場合と同様にステップＳ３５に移行し撮影の終了案内がなされ（ステップＳ３５）、具体的には撮影部モニタ３２に撮影終了の案内メッセージが表示されるとともに、撮影部スピーカ３７から撮影終了の案内メッセージの音声が出力され、撮影ブース３ａの各部の動作は終了する。
【００６５】
その後、撮影を終了した遊技者は、空いている編集ブース３ｂに案内され、編集ブース３ｂにおいて、携帯端末７５によって事前設定されＱＲコード読取手段６５により読み取られたＱＲコードに基づく編集条件、または、編集ブース３ｂの編集部モニタ１２の選択画面の操作により設定された編集条件に従い編集画像が作成され、撮影ブース３ａで撮影された全撮影画像のうち編集対象として選択された複数枚の撮影画像に編集画像が合成されて合成画像が形成される。さらに、印刷ブース３ｄにおいて、携帯端末７５によって事前設定されＱＲコード読取手段６５により読み取られたＱＲコードに基づく印刷条件、または、印刷ブース３ｄの印刷部モニタ２１の選択画面の操作により設定された印刷条件である印刷パターンに従い、プリンタ４２により合成画像が写真シールシートに印刷されて排出口２３から排出される。
【００６６】
したがって、第２実施形態によれば、受付ブース３ｃがない場合であっても、第１実施形態と同等の効果を得ることができる。
【００６７】
なお、本発明は上記した実施形態に限定されるものではなく、その趣旨を逸脱しない限りにおいて上述したもの以外に種々の変更を行うことが可能である。例えば、上記した各実施形態では、携帯端末７５の操作により撮影条件および編集条件の両方を携帯端末７５の操作により設定する場合について説明したが、撮影条件および編集条件の少なくとも一方のみを設定するようにしてもよい。
【００６８】
また、上記した各実施形態では、携帯端末７５の操作により撮影条件等を設定してその結果をＱＲコードに変換して保存する場合について説明したが、バーコードに変換して保存するようにしてもよいのは勿論である。
【００６９】
また、上記した各実施形態では、携帯端末７５の操作により印刷条件も設定できる場合について説明したが、印刷条件の設定は必ずしも必要ではなく、携帯端末７５の操作により撮影条件および／または編集条件のみが設定できるようにしてもよい。さらに、撮影条件および／または編集条件に加えて、遊技者所有の携帯端末７５のアドレスもＱＲコード等に変換し、写真シール払出装置１側でこれを読取、当該遊技者の識別に利用するようにしてもよい。
【００７０】
また、編集ブース３ｂを３つ以上設けた構成であってもよい。さらに、印刷ブース３ｄを設けない構成であっても本発明を同様に実施することができる。
【符号の説明】
【００７１】
１    …写真シール払出装置（画像合成装置）
３ａ  …撮影ブース
３ｂ  …編集ブース
３ｄ  …印刷ブース
１３  …入力ペン（編集手段）
３１  …撮影手段
６１  …ＣＰＵ（制御手段）
６５  …ＱＲコード読取手段
７５  …携帯端末
【図１】
2016184287.tif 000003
【図２】
2016184287.tif 000004
【図３】
2016184287.tif 000005
【図４】
2016184287.tif 000006
【図５】
2016184287.tif 000007